(57)【要約】【課題】  撮像装置本体の小型化とともに、撮像装置本体を把持した際に、指で発光部を覆い隠すことを防止することを課題とする。【解決手段】  撮像装置本体の側面にヒンジ機構が固定され、撮像した画像を表示する画像表示部をヒンジ機構によって回転自在に取り付けた撮像装置において、被写体に向けて発光する発光装置をヒンジ機構に内蔵した撮像装置。【選択図】  図１
2005065246.tif 000002
【特許請求の範囲】
【請求項１】
撮像装置本体と、
撮像レンズと、前記撮像レンズを介して入射する被写体光を電気信号に変換する固体撮像素子とを備える撮像部と、
被写体に向けて発光する発光装置と、
前記撮像部により撮影された画像を表示する画像表示面と、前記画像表示面の外枠を囲むように設けられた第１の外装部材とを有する画像表示部と
前記撮像装置本体を構成する一つの面である第２の外装部材を覆う位置である第１の位置と、前記第１の外装部材を露出する位置である第２の位置とに、前記画像表示部を回転させる回転部材と、
前記第１の外装部材に固定されるとともに前記第１の外装部材に対して、突出して設けられた、若しくは、前記第２の外装部材に固定されるとともに前記第２の外装部材に対して、突出して設けられた、前記回転部材及び前記発光装置を内蔵する第３の外装部材と、
を有することを特徴とする撮像装置。
【請求項２】
前記撮像部は、前記撮像装置本体に備えられていることを特徴とする請求項１に記載の撮像装置。
【請求項３】
前記撮像部は、前記第３の外装部材に内蔵されていることを特徴とする請求項１に記載の撮像装置。
【請求項４】
前記撮像部は、前記画像表示部に備えられていることを特徴とする請求項１に記載の撮像装置。
【請求項５】
前記発光装置は、前記回転部材の長さ方向に沿って配置された閃光装置であることを特徴とする請求項１乃至４のいずれか１項に記載の撮像装置。
【請求項６】
前記第３の外装部材に内蔵された、被写体に向けて発光する第２の発光装置を更に有し、
前記第２の発光装置はビデオライトであることを特徴とする請求項１乃至５のいずれか１項に記載の撮像装置。
【請求項７】
前記回転部材は、ヒンジ機構であり、前記ヒンジ機構は２軸回転機構であることを特徴とする請求項１乃至６のいずれか１項に記載の撮像装置。
【請求項８】
前記第３の外装部材の厚さと前記画像表示部の厚さがほぼ等しいことを特徴とする請求項１乃至７のいずれか１項に記載の撮像装置。
【請求項９】
前記第３の外装部材内に前記画像表示部の開閉を検出して、前記画像表示部の表示のＯＮ−ＯＦＦ制御を行う開閉検出スイッチを内蔵したことを特徴とする請求項１乃至８のいずれか１項に記載の撮像装置。
【発明の詳細な説明】
【技術分野】
【０００１】
本発明は、撮像装置における被写体を照射する発光部の配置構造に関する。
【背景技術】
【０００２】
図１１から図１５に、被写体を照射する発光部を搭載した従来の撮像装置の例について説明する。
【０００３】
図１１から図１３は、デザイン上発光部が常に外観上に露出している撮像装置の例を示しており、図１４、図１５は、発光部が通常撮像装置本体内部に隠されていて、必要なときに自動、または手動で撮像装置本体の外観部に露出する構造を示す。
【０００４】
図１１、図１２、図１３、図１４、図１５において、１０１、１１１，１２１，１３１，１４１はそれぞれ撮像装置本体、１０２、１１２，１２２，１３２，１４２は撮像レンズ部、１０３、１１３，１２３、１３３，１４３は発光部である。
【０００５】
図１１の発光部１０３は撮像レンズ１０２の上側に配置されている（例えば、特開２００２−３１４８６５号公報参照）。
【０００６】
図１２の発光部１１３は画像表示装置１１７を撮像装置本体１１１に対して開閉自在に構成したヒンジ機構１１４の下側に配置されている。また、図１３の発光部１２３は撮像レンズ１２２の下側に配置されている。このとき、図１２、図１３に示す撮像装置の使用者は撮像装置本体１１１，１２１を把持するとき、それぞれの図に示すように右手１１６，１２６で撮像装置本体１１１，１２１の前面部１１５，１２５に密着させる形になる。
【０００７】
またさらに、図１４においては、発光部１３３は、１３４のポイントを中心に矢印１３７の方向に回転自在に構成された部材１３６に保持されており、この保持部材１３６は発光部１３３が撮像装置本体１３１内に隠れたときにはｂの位置に、発光部１３３が露出したときにはａの位置になるように設定されている。例えば、特開２００２−２５０９６２号公報に同様の構成が記載されている。
【０００８】
またさらに、図１５においても図１４と同様で、発光部１４３は、１４４のポイントを中心に矢印１４７の方向に回転自在に構成された部材１４６に保持されており、この保持部材１４６は発光部１４３が撮像装置本体１４１内に隠れたときにはｂの位置に、発光部１４３が露出したときにはａの位置になるように設定されている。このとき、保持部材１４６をｂの位置に収納するために、撮像レンズ１４２の一部に凹部１４５が設定されている。
【０００９】
以上説明中の発光部が一般にストロボと呼ばれるものである場合、主に静止画撮影の際に使われ、ビデオライトと呼ばれるものであるときには動画撮影の際に使われる。
【特許文献１】特開２００２−３１４８６５号公報
【発明の開示】
【発明が解決しようとする課題】
【００１０】
しかしながら、上述のような発光部の配置では以下のような問題点があった。
（１）  図１１のように配置すると、撮像装置本体の高さ（図中記号Ｈ部）が高くなり大型化してしまう。
（２）図１２、１３のように配置すると、使用者が撮像装置本体を手で把持した場合、発光部が使用者の指によって隠れてしまうおそれがあり操作性が低下する。
（３）発光部を突出させた形状にすると、外観デザインの美観を損ねてしまう。
（４）図１４、１５のように配置すると、発光部をポップアップさせるための回動機構が必要となり、撮像装置のコストがかかり、装置も大型化してしまう。
という課題があった。
【課題を解決するための手段】
【００１１】
上記課題を解決するため、本願発明の撮像装置は、撮像装置本体と、撮像レンズと、前記撮像レンズを介して入射する被写体光を電気信号に変換する固体撮像素子とを備える撮像部と、被写体に向けて発光する発光装置と、前記撮像部により撮影された画像を表示する画像表示面と、前記画像表示面の外枠を囲むように設けられた第１の外装部材とを有する画像表示部と前記撮像装置本体を構成する一つの面である第２の外装部材を覆う位置である第１の位置と、前記第１の外装部材を露出する位置である第２の位置とに、前記画像表示部を回転させる回転部材と、前記第１の外装部材に固定されるとともに前記第１の外装部材に対して、突出して設けられた、若しくは、前記第２の外装部材に固定されるとともに前記第２の外装部材に対して、突出して設けられた、前記回転部材及び前記発光装置を内蔵する第３の外装部材と、を有することを特徴とする。
【発明の効果】
【００１２】
本発明によれば、撮像装置本体の高さが抑えられ小型化が実現され、また、撮像装置本体を把持した際に、指で発光部を覆い隠すことがないため、誤操作することを防止できる。
【発明を実施するための最良の形態】
【００１３】
（実施例１）
本発明による実施例１を、図１〜６を参照しながら説明する。
【００１４】
図１において、１は撮像装置本体、２は撮像レンズ、３は発光部、６は画像表示装置（一般にＬＣＤパネルを用いる）６、７は画像表示装置６を保持する筐体であり、ヒンジ部４で、撮像装置本体１に対して開閉自在に取り付けられている。発光部３、ヒンジ部４は、撮像装置本体を構成する一つの面である外装部材１ａに固定して設けられるとともに、面１ａに対して突出して設けられた外装部材１ｂに内蔵されている。
【００１５】
通常、使用者が撮像装置を把持するときには、使用者が右手３０を使って本体を握るようになる。そのため、開閉動作をする画像表示装置筐体７は、撮像装置本体１上の、右手３０が把持する側とは反対側の面に構成される。図１は画像表示装置筐体７を撮像装置本体１に対して矢印１２の方向に開いた状態の図である。５は第２の発光部を構成する白色ＬＥＤであり、低照度の被写体に対して光を照射することで被写体の照度を補うためのものであり、自動焦点距離調節の際の補助光や動画撮影時のビデオライトとして用いられる。またさらに８は第２の画像表示部であり、１１はマイクロフォンである。
【００１６】
ここで、発光部３を含むヒンジ部４の構造を図２、３、４を用いて説明する。発光部３は、発光部材であるキセノン管１７とその光を反射する反射板１８からの光を通過させて被写体に照射するための導光部材であり、これらの構造は部材１９によって撮像装置本体１に対して保持されている。また図２に示すように、ヒンジ機構のベース１３ａ、１３ｂは締結部品１５，１６によって撮像装置本体１に対して固定されており、さらに回転軸部材２１，２２を介してベース１３ａ、１３ｂに対して回動自在に設定されている回転部材２０は画像表示装置筐体７と固定されている。
【００１７】
図３は、図２をＡＡ’線で切った断面図である。画像表示装置筐体７は回転軸１４を中心に回動可能に構成されていて，回転軸部材２１，２２の回転中心が回転軸１４と一致している。このような構成とすることで、画像表示装置筐体７は回転軸１４を中心に矢印１２の方向に回動自在に構成される。
【００１８】
特に画像表示筐体７を矢印１２ａの方向に回転させたとき、撮像装置本体１の内部に固定された検出スイッチ２５は画像表示装置筐体７に設定された突起部２９によって反応するように構成されている。また逆に画像表示装置筐体７を矢印１２ａとは逆の方向に回転させると、突起部２９が検出スイッチ２５から離れていくので、検出スイッチ２５は反応しなくなる。こうすることで画像表示装置筐体７が開かれた状態なのか，閉じた状態なのかを検出可能とすることができる。
【００１９】
図４は、図２をＢＢ’線で切った断面図である。画像表示装置筐体７を回転軸１４と直交する回転軸２７をもって矢印２８の方向に回転自在に構成することも可能である。このとき回転部材２０と画像表示装置筐体７は回転軸部材２６をもって結合されている。この回転軸部材２０の回転軸中心は回転軸２７と一致している。この回転は画像表示装置７が撮像装置本体１に対して開かれた状態のときに使用されることが一般的である。
【００２０】
特に画像表示筐体７を矢印２８ａの方向に回転させたとき、ヒンジ部に固定された検出スイッチ２４は回転軸部材２６に設定された突起によって反応するように構成されている。また逆に画像表示装置筐体７を矢印２８ａとは逆の方向に回転させると、突起部が検出スイッチ２４から離れていくので、検出スイッチ２４は反応しなくなる。こうすることで画像表示装置筐体７がどの角度に回転されているのかを検出可能とすることができる。
【００２１】
図６は撮像装置の概略機能構成を示すブロック図であり、３０１は撮影レンズ、３０２は撮像素子、３０３は信号処理部、３０４は画像表示装置、３０５は記録部、３０６は制御用マイクロコンピュータ、３０７は操作部、３０８は発光制御部であり、３０９は発光部である。
【００２２】
被写体像は撮像レンズ３０１を介して撮像素子３０２の受光面上に結像される。この撮像素子３０２は、被写体像に応じた電気信号を出力し、この電気信号は信号処理部３０３に入力される。
【００２３】
この信号処理部３０３で上記電気信号が所定形態の画像信号に変換され、制御マイコン３０６と画像表示装置３０４、記録部３０５に入力される。記録部３０５では入力された画像信号を着脱可能なメモリカード等の記憶媒体に記録する。また、画像表示装置３０４には画像信号が可視像として表示される。
【００２４】
使用者は画像表示装置３０４で撮影する像を確認しつつ操作部３０７を操作する。この操作部３０７の操作内容を示すデータは制御マイコン３０６により、具体的な処理内容を示すコマンドに変換された後、装置各部に供給される。
【００２５】
発光部３０９が自動的に発光する設定の場合には、制御マイコン３０６が被写体像の照度のレベルを判断し、適正照度でなかったときには発光制御部３０８に発光の指令を出して、発光制御部３０８が発光部３０９に発光の指令を出すという信号の流れになる。
【００２６】
また、発光部３０９を手動で発光させる設定の場合には、使用者が画像表示装置３０４の画像を確認し照度が足りないと判断したときに、操作部３０７から発光の操作をして、その信号を受けた制御マイコン３０６から発光制御部３０８に発光の指令が出され、発光制御部３０８が発光部３０９に発光の指令を出すという流れとなる。
【００２７】
図５Ａ、図５Ｂはそれぞれ本発明の第１の実施例による撮像装置本体１の前方正面図と側面図である。
【００２８】
図１、２、３、４、５Ａ、５Ｂに示すように、ヒンジ部４のヒンジ機構（１３ａ、１３ｂ、１５、１６、２０、２１、２２、２６）と発光部（３、１７、１８、１９）を撮像装置本体１で一体的に覆っており、発光部３がヒンジ部４に対して、被写体側にレイアウトされている。また撮像レンズ、発光部、ヒンジ部はほぼ同じ高さの位置にレイアウトされている。その結果、本体自体の高さが高くなることはなくなる。特に図２からわかるように、発光部を縦長の形状にして回転軸１４と同じ方向に置いたので、撮像レンズ２とヒンジ部４の間にあった無駄なスペースも利用することができ、本体を小型化できる。更に、発光部３を撮像レンズ２の下側（指がかかる部分）に配置しないので、発光部３に指がかかることがなくなり、誤操作を防止することができる。
【００２９】
（実施例２）
本発明による実施例２を図７Ａ〜図１０Ｃを参照して説明する。
【００３０】
実施例２では本発明を携帯情報端末に応用した場合の例を挙げており、図７Ａ、図７Ｂより、５１は撮像装置付き携帯情報端末本体、５２は撮像レンズ、５３は発光部、５４はヒンジ部、５６は画像表示装置、５７は画像表示装置５６を保持する筐体であり、ヒンジ部５４により携帯情報端末本体５１に対して開閉自在に取り付けられている。また、５５は音声を発生するスピーカー、５８は操作部、５９はマイク、６０は通信用のアンテナである。発光部５３、ヒンジ部５４は、撮像装置付き携帯情報端末本体を構成する一つの面である外装部材５１ａに固定して設けられるとともに、面５１ａに対して突出して設けられた外装部材５１ｂに内蔵されている。
【００３１】
ここで図８にヒンジ部５４の構造を表した断面図を示す。図８に示すように、ヒンジ部５４においては支持型の部材６４が回転軸６５ａ，６５ｂを介して部材６３ａ、６３ｂに固定されている。さらに、部材６３ａ，６３ｂは筐体５７に固定されている。また、発光部５３は、発光部材であるキセノン管６１とその光を反射する反射板６２からの光を通過させて被写体に照射するための導光部材である。またさらに撮像レンズ５２は、その構成レンズ群の焦点の位置にある撮像素子（ＣＣＤやＣＭＯＳなど）６７をはさんで上記撮像素子６７が実装されている電子基板６６に固定されている。上記の発光部構造や，撮像レンズ構造は支持部材６４の間に構成されている。
【００３２】
携帯情報端末５１の使用者は、筐体５７を開いて画像表示装置５６を見ながら操作部５８を操作する。
【００３３】
使用者がこの携帯情報端末５１を電話として使用するときには、スピーカー５５を耳に当てながらマイク５９に対して声を発する。すると、音声は携帯情報端末５１の内部で電気信号に変換され外部通信用のアンテナ６０から電波によって発信される。
【００３４】
本携帯情報端末５１を用いての撮影は、撮像レンズ５２を被写体方向に向け、被写体映像を画像表示装置５６で確認しながら行う。このとき、被写体を明るく撮影するために発光部５３を発光させて被写体に光を照射しながら行うこともできる。
【００３５】
また図９Ａ、図９Ｂは、携帯情報端末の別の構成例を示す図であり、撮像レンズ７２が画像表示装置７６を保持する筐体７７の背面側に取り付けられたタイプである。
【００３６】
この場合も発光部７３と、ヒンジ部７４は、撮像装置付き携帯情報端末本体を構成する一つの面である外装部材５１ａに固定して設けられるとともに、面５１ａに対して突出して設けられた外装部材５１ｂの中に配置可能である。
【００３７】
またさらに図１０Ａ〜図１０Ｃは、携帯情報端末の別の構成例を示す図であり、８１は撮像装置付き携帯情報端末本体、８２は撮像レンズ、８３は発光部、８７は画像表示装置８６および第２の画像表示装置９０を保持する筐体で、ヒンジ部８４により携帯情報端末本体８１に対して開閉自在に取り付けられている。また、８５は音声を発生するスピーカー、８８は操作部、８９はマイクである。
【００３８】
図１０Ａ〜図１０Ｃに示す構成の場合、筐体８７を開かなくても撮影ができる。使用者は図１０Ａ、図１０Ｂのように筐体８７を閉じた状態、及び、図１０Ｃのように筐体８７を開いた状態の両方で、撮像レンズ８２を被写体方向に向け、被写体映像を第２の画像表示装置９０で確認しながら撮影を行うことができる。このとき、被写体を明るく撮影するために発光部８３を発光させて被写体に光を照射しながら行うこともできる。
【００３９】
以上のように、発光部を含む構成をヒンジ部の構造の中に収めることができるので、本体を小型化することができる。
【００４０】
なお、上記第１及び第２の実施形態では、ヒンジ部と、発光部を収納する外装部材が撮像装置本体側に固定された場合について図示したが、表示装置側に固定した場合にも適用可能であることは言うまでもない。つまり、筐体７、５７、７７、８７を構成する一つの面（画像表示装置の外枠を囲む面）に固定されるとともに、その面に対して突出して設けれた外装部材内に発光部とヒンジ部を内蔵しても良い。
【図面の簡単な説明】
【００４１】
【図１】本発明の第１の実施例による撮像装置の斜視図である。
【図２】本発明の第１の実施例による発光部の断面図である。
【図３】本発明の第１の実施例による発光部の断面図である。
【図４】本発明の第１の実施例による発光部の断面図である。
【図５】本発明の第１の実施例による撮像装置本体の正面図と側面図である。
【図６】本発明の第１の実施例による撮像装置の概略機能構成図である。
【図７】本発明の第２の実施例による撮像装置の背面斜視図と正面斜視図である。
【図８】本発明の第２の実施例による撮像装置の発光部及びヒンジ部の断面図である。
【図９】本発明の第２の実施例による別の撮像装置の背面斜視図と正面斜視図である。
【図１０】本発明の第２の実施例による折り畳んだ状態での別の撮像装置の背面斜視図と正面斜視図である。
【図１１】第１の従来例を示す図である。
【図１２】第２の従来例を示す図である。
【図１３】第３の従来例を示す図である。
【図１４】第４の従来例を示す図である。
【図１５】第５の従来例を示す図である。
【符号の説明】
【００４２】
１，５１，７１，８１，１０１，１１１，１２１，１３１，１４１  撮像装置本体
２，５２，７２，８２，１０２，１１２，１２２，１３２，１４２  撮像レンズ
３，５３，７３，８３，１０３，１１３，１２３，１３３，１４３  発光部
４，５４，７４，８４，１１４  ヒンジ部
５  他の発光部
６，５６，７６  画像表示装置
７，５７，７７，１１７  画像表示装置筐体
８，９０  第２の画像表示装置
９  リモコン受光部分
１１，５９，７９，８９  マイクロフォン
１２，１２ａ，２８、２８ａ  画像表示装置筐体の開閉及び回転方向を示す矢印
１３  ヒンジ機構のベース
１４，２７  ヒンジ機構の回転中心軸
１５，１６  締結部品
１７，６１  キセノン管
１８，６２  金属板
１９  保持部材
２０  回転部材
２１，２２，２６  回転軸
２３，１１５，１２５  撮像装置本体の面
３０，１１６，１２６  使用者の右手
１３４，１４４  発光部保持部材の回転軸中心
１３６，１４６  発光部の位置
１３７，１４７  発光部の開閉方向を示す矢印
【図１】
2005065246.tif 000003
【図２】
2005065246.tif 000004
【図３】
2005065246.tif 000005
【図４】
2005065246.tif 000006
【図５】
2005065246.tif 000007
【図６】
2005065246.tif 000008
【図７】
2005065246.tif 000009
【図８】
2005065246.tif 000010
【図９】
2005065246.tif 000011
【図１０】
2005065246.tif 000012
【図１１】
2005065246.tif 000013
【図１２】
2005065246.tif 000014
【図１３】
2005065246.tif 000015
【図１４】
2005065246.tif 000016
【図１５】
2005065246.tif 000017